(57)【特許請求の範囲】
【請求項１】
可変容量ダイオードを設けた中間周波同調回路を備え、ＰＡＬ（Ｂ／Ｇ）方式およびＳＥＣＡＭ（Ｌ）方式の各テレビジョン放送を受信可能であって、前記中間周波同調回路の同調周波数をＰＡＬ（Ｂ／Ｇ）方式のテレビジョン放送に適応するように前記可変容量ダイオードに固定バイアス電圧を加え、ＶＨＦローバンドにあるＳＥＣＡＭ（Ｌ）方式のテレビジョン放送を受信するときに、前記可変容量ダイオードに固定バイアス電圧を加えたときよりもその容量を大きくする付加バイアス電圧を前記固定バイアス電圧とともに加え、前記中間周波同調回路の同調周波数を低くするようにしたことを特徴とするテレビジョンチューナ。
【請求項２】
前記付加バイアス電圧は、バンドデコーダを備えた選局用ＩＣから出力されたバンド切換電圧を抵抗回路で分圧して得た分圧電圧であり、前記固定バイアス電圧は、前記付加バイアス電圧よりも高い電圧であって、前記可変容量ダイオードには、カソードに前記固定バイアス電圧を加え、アノードに前記付加バイアス電圧を加えることを特徴とする請求項１に記載のテレビジョンチューナ。
【請求項３】
固定容量と、スイッチングダイオードに直列接続された付加容量とを設けた中間周波同調回路を備え、ＰＡＬ（Ｂ／Ｇ）方式およびＳＥＣＡＭ（Ｌ）方式の各テレビジョン放送を受信可能であって、前記中間周波同調回路の同調周波数をＰＡＬ（Ｂ／Ｇ）方式のテレビジョン放送に適応するように、前記スイッチングダイオードにそのスイッチングダイオードをオフ状態にする切換電圧を加え、前記スイッチングダイオードをオフ状態にして前記付加容量を前記固定容量から切り離すようにし、ＶＨＦローバンドにあるＳＥＣＡＭ（Ｌ）方式のテレビジョン放送を受信するときに、前記スイッチングダイオードにそのスイッチングダイオードをオン状態にする切換電圧を加え、前記スイッチングダイオードをオン状態にして前記付加容量を前記固定容量に並列に接続することにより、前記中間周波同調回路の同調周波数を低くするようにしたことを特徴とするテレビジョンチューナ。
【請求項４】
前記切換電圧は、バンドデコーダを備えた選局用ＩＣから出力されたバンド切換電圧であり、前記スイッチングダイオードには、カソードに前記バンド切換電圧よりも低い電圧の固定バイアス電圧を加え、アノードに前記バンド切換電圧を加えることを特徴とする請求項３に記載のテレビジョンチューナ。
【発明の詳細な説明】
【０００１】
【発明の属する技術分野】
本発明は、ＰＡＬ（Ｂ／Ｇ）方式およびＳＥＣＡＭ（Ｌ）方式の各テレビジョン放送（以下ＴＶ放送と略記する）を共に受信できる共用のテレビジョンチューナに係わり、特に、各方式間並びに放送周波数帯域間で中間周波数が異なることにより生じる受信性能の劣化を防止できるテレビジョンチューナに関する。
【０００２】
【従来の技術】
欧州で採用されているＴＶ放送方式には、ドイツ国等で採用されているＰＡＬ（Ｂ／Ｇ）方式と、フランス国等で採用されているＳＥＣＡＭ（Ｌ）方式とがあり、これら２方式のＴＶ放送を受信できる共用テレビジョンチューナが既に開発されている。
【０００３】
図３は、前記既知の共用テレビジョンチューナの構成の一例を示す一部回路図を含んだブロック図である。
【０００４】
図３にあるように、既知のテレビジョンチューナは、入力端子６１と、アンテナ（ＡＮＴ）同調回路６２と、高周波増幅回路（ＲＦＡＭＰ）６３と、高周波複同調回路６４と、混合回路（ＭＩＸ）６５と、局部発振回路（ＯＳＣ）６６と、中間周波同調回路６７と、選局用ＩＣ６９と、出力端子７０とを備えている。
【０００５】
高周波複同調回路６４は、入力端が高周波増幅回路６３の出力端に接続され、出力端が混合回路６５の第１入力端に接続されており、可変容量ダイオード６４１  、６４２  と、インダクタ６４３  乃至６４７  と、キャパシタ６４８  乃至６４１２と、スイッチングダイオード６４１３、６４１４と、抵抗６４１５、６４１６とからなっている。また、局部発振回路６６は出力端が混合回路６５の第２入力端に接続されている。
【０００６】
中間周波同調回路６７は、入力端が混合回路６５の出力端に接続され、出力端が出力端子７０に接続されており、インダクタ６７１  と、キャパシタ６７２  乃至６７４  とからなっている。
【０００７】
ＩＣ６９は、ＰＬＬ回路の他にバンドデコーダを備えており、同調電圧端子ＴＵと、バンド切換端子ＢＳ２、ＢＳ３とを有し、これら各端子は、それぞれ高周波複同調回路６４および局部発振回路６６に接続されている。なお、同調電圧端子ＴＵは同調電圧を発生し、バンド切換端子ＢＳ２はＶＨＦハイバンドのＴＶ放送を選択したとき正電圧を発生し、バンド切換端子ＢＳ３はＶＨＦローバンドのＴＶ放送を選択したとき正電圧を発生する。
【０００８】
前記構成による既知の共用テレビジョンチューナは、次のように動作する。
【０００９】
入力端子６１に加えられた受信信号は、アンテナ同調回路６２において所望チャネルの受信信号が選択され、高周波増幅回路６３において増幅される。増幅された受信信号は、高周波複同調回路６４において所望チャネルの受信信号がさらに選択され、混合回路６５において、局部発振回路６６から供給された局部発振信号と混合されて中間周波信号に変換される。中間周波信号は、中間周波同調回路６７において所定周波数の中間周波信号が選択され、出力端子７０から出力される。
【００１０】
そこで、ＶＨＦローバンドにあるＴＶ放送を選択したとき、ＩＣ６９のバンド切換端子ＢＳ３から正電圧が出力され、この正電圧によって、高周波複同調回路６４は、スイッチングダイオード６４１３、６４１４がそれぞれオフになり、可変容量ダイオード６４１  、６４２  、インダクタ６４３  、６４４  、キャパシタ６４８  、６４９  に、インダクタ６４５  乃至６４７  、キャパシタ６４１０が挿入接続された形になる。
【００１１】
一方、ＶＨＦハイバンドにあるＴＶ放送を選択したとき、ＩＣ６９のバンド切換端子ＢＳ２から正電圧が出力され、この正電圧によって、高周波複同調回路６４は、スイッチングダイオード６４１３、６４１４がそれぞれオンになり、インダクタ６４５  乃至６４７  、キャパシタ６４１０からなる回路部分が短絡され、可変容量ダイオード６４１  、６４２  、インダクタ６４３  、６４４  、キャパシタ６４８  、６４９  だけが接続された形になる。
【００１２】
そして、いずれのバンドにあるＴＶ放送を選択したときも、ＩＣ６９の同調電圧端子ＴＵから同調電圧が出力され、高周波複同調回路６４は、同調電圧が抵抗６４１５とインダクタ６４３  を介して可変容量ダイオード６４１  に加えられるとともに、抵抗６４１６とインダクタ６４４  を介して可変容量ダイオード６４２  に加えられるので、可変容量ダイオード６４１  、６４２  の各容量が調整され、選択されたＴＶ放送に同調される。
【００１３】
また、局部発振回路６６は、高周波複同調回路６４と同様に、ＩＣ６９のバンド切換端子ＢＳ３またはＢＳ２から出力された正電圧と、同調電圧端子ＴＵから出力された同調電圧とが加えられ、選択されたＴＶ放送の周波数に対して一定の差だけ高い周波数の局部発振信号を出力する。
【００１４】
ところで、ＶＨＦローバンドにあるＳＥＣＡＭ（Ｌ）方式のＴＶ放送では、ＰＡＬ（Ｂ／Ｇ）方式のＴＶ放送に比べて、映像搬送波と音声搬送波の周波数が高低逆に配列されており、また、１チャネル当たりの周波数帯域幅が１ＭＨｚ広くなっている。
【００１５】
このため、既知の共用テレビジョンチューナでは、映像中間周波数および色中間周波数は、ＰＡＬ（Ｂ／Ｇ）方式のＴＶ放送を選択するときは、それぞれ標準の３８．９ＭＨｚおよび３４．４７ＭＨｚに設定されているのに対して、ＶＨＦローバンドにあるＳＥＣＡＭ（Ｌ）方式のＴＶ放送を選択するときは、上記の相違および表面弾性波素子で形成された中間周波フイルタ（図示なし）の特性を考慮して、それぞれ３３．９ＭＨｚおよび３８．３３  ＭＨｚに設定されている。
【００１６】
図４は、既知の共用テレビジョンチューナの、ＶＨＦローバンドにあるＴＶ放送を選択するときの、中間周波同調回路６７の同調特性であり、図中ＰＩＰＡＬ  、ＣＩＰＡＬ  がそれぞれＰＡＬ（Ｂ／Ｇ）方式ＴＶ放送の映像中間周波および色中間周波であり、ＰＩＳＥＣ  、ＣＩＳＥＣ  がそれぞれＳＥＣＡＭ（Ｌ）方式ＴＶ放送の映像中間周波および色中間周波である。
【００１７】
図４にあるように、中間周波同調回路６７の同調特性は、単峰特性であって、ＰＡＬ（Ｂ／Ｇ）方式の色中間周波ＣＩＰＡＬ  ３４．４７ＭＨｚと映像中間周波ＰＩＰＡＬ  ３８．９ＭＨｚの中間の約３６．７ＭＨｚに同調しており、映像中間周波と色中間周波に対する選択度がほぼ等しくなるように設定されている。しかし、ＶＨＦローバンドにあるＳＥＣＡＭ（Ｌ）方式の色中間周波ＣＩＳＥＣ  ３８．３３ＭＨｚと映像中間周波ＰＩＳＥＣ  ３３．９ＭＨｚに対しては、同調周波数がそれらの中間よりも高い方に偏っている。
【００１８】
【発明が解決しようとする課題】
上記のように、ＶＨＦローバンドにあるＳＥＣＡＭ（Ｌ）方式のＴＶ放送を選択するときには、中間周波同調回路６７の同調周波数が、色中間周波ＣＩＳＥＣ  側に偏っている。このため、中間周波同調回路６７の選択度が、映像中間周波ＰＩＳＥＣ  よりも色中間周波ＣＩＳＥＣ  に対して高く、他のバンドにあるＴＶ放送を選択したときに比べて、再生された映像の色が濃くなり、良好な映像を得ることができないという問題がある。この問題を解決する方法として、ＶＨＦローバンドにあるＳＥＣＡＭ（Ｌ）方式のＴＶ放送を選択するときに、ＩＣ６９から出力される同調電圧をやや高くして、局部発振回路６６の発振周波数を高くし、各中間周波を０．６ＭＨｚ高くする方法が考えられる。しかし、この方法は、同じ同調電圧で制御されている高周波複同調回路６４の同調周波数が高い方にずれてしまい、利用できない。
【００１９】
本発明は、このような問題点を解決するもので、その目的は、ＰＡＬ（Ｂ／Ｇ）方式およびＳＥＣＡＭ（Ｌ）方式のいずれのＴＶ放送を受信しても、共に良好な状態で映像を再生できるテレビジョンチューナを提供することにある。
【００２０】
【課題を解決するための手段】
前記目的を達成するために、本発明によるテレビジョンチューナは、中間周波同調回路の同調周波数をＰＡＬ（Ｂ／Ｇ）方式のＴＶ放送に適応させて設定し、ＶＨＦローバンドにあるＳＥＣＡＭ（Ｌ）方式のＴＶ放送を受信するときに、中間周波同調回路の同調周波数を低くする手段を備えている。
【００２１】
前記手段によれば、中間周波同調回路の同調周波数は、ＶＨＦローバンドにあるＳＥＣＡＭ（Ｌ）方式のＴＶ放送を受信するときには低くなって、ＶＨＦローバンドにあるＳＥＣＡＭ（Ｌ）方式のＴＶ放送に応じた同調周波数になり、その他のＴＶ放送を受信するときには高くなって、ＰＡＬ（Ｂ／Ｇ）方式のＴＶ放送およびＶＨＦローバンド以外のバンドにあるＳＥＣＡＭ（Ｌ）方式のＴＶ放送に応じた同調周波数になる。したがって、いずれのＴＶ放送を受信するときにも、映像中間周波と色中間周波に対する中間周波同調回路の選択度をほぼ等しくすることができる。
【００２２】
【発明の実施の形態】
本発明の実施の形態の一つにおいて、中間周波同調回路の同調周波数を低くする手段は、中間周波同調回路に可変容量ダイオードを設け、その可変容量ダイオードに付加バイアス電圧を固定バイアス電圧とともに加えることによって、可変容量ダイオードの容量を固定バイアス電圧のみを加えたときよりも大きくするものである。
【００２３】
本発明の実施の形態の一つの好適例において、付加バイアス電圧は、バンドデコーダを備えた選局用ＩＣから出力されたバンド切換電圧を抵抗回路で分圧して得た分圧電圧であり、固定バイアス電圧は、付加バイアス電圧よりも高い電圧であって、可変容量ダイオードには、カソードに固定バイアス電圧を加え、アノードに付加バイアス電圧を加える。
【００２４】
本発明の実施の形態の他の一つにおいて、中間周波同調回路の同調周波数を低くする手段は、中間周波同調回路に、固定容量と、スイッチングダイオードに直列接続された付加容量とを設け、スイッチングダイオードに切換電圧を加えてスイッチングダイオードをオン状態にすることによって、付加容量を固定容量に並列接続するものである。
【００２５】
本発明の実施の形態の他の一つの好適例において、切換電圧は、バンドデコーダを備えた選局用ＩＣから出力されたバンド切換電圧であり、スイッチングダイオードには、カソードにバンド切換電圧よりも低い電圧の固定バイアス電圧を加え、アノードにバンド切換電圧を加える。
【００２６】
【実施例】
以下、本発明の実施例を図面を参照して説明する。
【００２７】
図１は、本発明によるテレビジョンチューナの第１実施例の構成を示す一部回路図を含んだブロック図である。
【００２８】
図１にあるように、第１実施例のテレビジョンチューナは、入力端子１と、アンテナ（ＡＮＴ）同調回路２と、高周波増幅回路（ＲＦＡＭＰ）３と、高周波複同調回路４と、混合回路（ＭＩＸ）５と、局部発振回路（ＯＳＣ）６と、中間周波同調回路７と、選局用ＩＣ９と、出力端子１０とを備えている。
【００２９】
高周波複同調回路４は、入力端が高周波増幅回路３の出力端に接続され、出力端が混合回路５の第１入力端に接続されており、可変容量ダイオード４１  、４２  と、インダクタ４３  乃至４７  と、キャパシタ４８  乃至４１２と、スイッチングダイオード４１３、４１４と、抵抗４１５、４１６とからなっている。そして、可変容量ダイオード４１  は、カソードがインダクタ４３  の一端に接続されるとともに、キャパシタ４１１を介して入力端に接続され、アノードが接地点に接続されている。可変容量ダイオード４２  は、カソードがインダクタ４４  の一端に接続されるとともに、キャパシタ４１２を介して出力端に接続され、アノードが接地点に接続されている。インダクタ４３  、４４  は互いに誘導結合されており、インダクタ４３  の他端は、キャパシタ４８  を介してインダクタ４５  の一端に接続されるとともに、抵抗４１５を介してＩＣ９の同調電圧端子ＴＵに接続され、インダクタ４４  の他端は、キャパシタ４９  を介してインダクタ４６  の一端に接続されるとともに、抵抗４１６を介してＩＣ９の同調電圧端子ＴＵに接続されている。インダクタ４５  、４６  は互いに誘導結合されており、インダクタ４５  は、一端がＩＣ９のバンド切換端子ＢＳ３に接続されるとともに、スイッチングダイオード４１３を介してバンド切換端子ＢＳ２に接続され、他端がインダクタ４６  の他端とインダクタ４７  の一端とに接続されている。インダクタ４６  は、一端がＩＣ９のバンド切換端子ＢＳ３に接続されるとともに、スイッチングダイオード４１４を介してバンド切換端子ＢＳ２に接続されている。インダクタ４７  は、他端がキャパシタ４１０を介して接地点に接続されている。また、局部発振回路６は、出力端が混合回路５の第２入力端に接続されている。
【００３０】
中間周波同調回路７は、入力端が混合回路５の出力端に接続され、出力端が出力端子１０に接続されており、インダクタ７１  と、キャパシタ７２  乃至７６  と、可変容量ダイオード７７  と、抵抗７８  、７９  とからなっている。そして、インダクタ７１  は、一端がキャパシタ７３  を介して入力端に接続されるとともに、キャパシタ７４  を介して出力端に接続され、他端が電源端子Ｂに接続されるとともにキャパシタ７５  を介して接地点に接続されている。キャパシタ７２  は、インダクタ７１  に並列接続されている。可変容量ダイオード７７  は、カソードがインダクタ７１  の一端に接続され、アノードが、キャパシタ７６  を介してインダクタ７１  の他端に接続され、さらに抵抗７８  を介してＩＣ９のバンド切換端子ＢＳ４に接続されるとともに、抵抗７９  を介して接地点に接続されている。
【００３１】
ＩＣ９は、一例としてフイリップス社製のＴＳＡ５５２０であり、ＰＬＬ回路の他にバンドデコーダを備えており、同調電圧端子ＴＵと、バンド切換端子ＢＳ２、ＢＳ３、ＢＳ４とを有し、この中、バンド切換端子ＢＳ４を除く各端子が高周波複同調回路４および局部発振回路６に接続され、バンド切換端子ＢＳ４が中間周波同調回路７に接続されている。なお、同調電圧端子ＴＵは同調電圧を発生し、バンド切換端子ＢＳ２はＶＨＦハイバンドのＴＶ放送を選択したとき正電圧を発生し、バンド切換端子ＢＳ３はＶＨＦローバンドのＴＶ放送を選択したとき正電圧を発生し、バンド切換端子ＢＳ４はＶＨＦローバンドにあるＳＥＣＡＭ（Ｌ）方式のＴＶ放送を選択したとき正電圧を発生する。
【００３２】
前記構成による第１実施例のテレビジョンチューナは、次のように動作する。
【００３３】
入力端子１に加えられた受信信号は、アンテナ同調回路２において所望チャネルの受信信号が選択され、高周波増幅回路３において増幅される。増幅された受信信号は、高周波複同調回路４において所望チャネルの受信信号がさらに選択され、混合回路５において、局部発振回路６から供給された局部発振信号と混合されて中間周波信号に変換される。中間周波信号は、中間周波同調回路７において所定周波数の中間周波信号が選択され、出力端子１０から出力される。
【００３４】
そこで、ＶＨＦローバンドにあるＴＶ放送を選択したとき、ＩＣ９のバンド切換端子ＢＳ３から正電圧が出力され、この正電圧によって、高周波複同調回路４は、スイッチングダイオード４１３、４１４がそれぞれオフになり、可変容量ダイオード４１  、４２  、インダクタ４３  、４４  、キャパシタ４８  、４９  に、インダクタ４５  乃至４７  、キャパシタ４１０が挿入接続された形になる。
【００３５】
一方、ＶＨＦハイバンドにあるＴＶ放送を選択したとき、ＩＣ９のバンド切換端子ＢＳ２から正電圧が出力され、この正電圧によって、高周波複同調回路４は、スイッチングダイオード４１３、４１４がそれぞれオンになり、インダクタ４５  乃至４７  、キャパシタ４１０からなる回路部分が短絡され、可変容量ダイオード４１  、４２  、インダクタ４３  、４４  、キャパシタ４８  、４９  だけが接続された形になる。
【００３６】
そして、いずれのバンドにあるＴＶ放送を選択したときも、ＩＣ９の同調電圧端子ＴＵから同調電圧が出力され、高周波複同調回路４は、同調電圧が抵抗４１５とインダクタ４３  を介して可変容量ダイオード４１  に加えられるとともに、抵抗４１６とインダクタ４４  を介して可変容量ダイオード４２  に加えられるので、可変容量ダイオード４１  、４２  の各容量が調整され、選択されたＴＶ放送に同調される。
【００３７】
また、局部発振回路６は、高周波複同調回路４と同様に、ＩＣ９のバンド切換端子ＢＳ３またはＢＳ２から出力された正電圧と、同調電圧端子ＴＵから出力された同調電圧とが加えられ、選択されたＴＶ放送の周波数に対して一定の差だけ高い周波数の局部発振信号を出力する。
【００３８】
さらに、第１実施例のテレビジョンチューナでは、中間周波同調回路７の同調周波数を、ＰＡＬ（Ｂ／Ｇ）方式のＴＶ放送に適応させて設定してあり、ＶＨＦローバンドにあるＳＥＣＡＭ（Ｌ）方式のＴＶ放送を選択したときに、その同調周波数を低域周波数側に移動させるようにしている。
【００３９】
即ち、第１実施例のテレビジョンチューナは、ＶＨＦローバンドにあるＳＥＣＡＭ（Ｌ）方式のＴＶ放送を選択したときに、正電圧がＩＣ９のバンド切換端子ＢＳ４から出力され、中間周波同調回路７に加えられる。
【００４０】
この正電圧は、中間周波同調回路７において、抵抗７８  、７９  で分圧されて付加バイアス電圧として可変容量ダイオード７７  のアノードに加えられる。このとき、可変容量ダイオード７７  は、カソードに電源端子Ｂからインダクタ７１  を介して固定バイアス電圧として電源電圧が加えられており、アノードとカソード間には、固定バイアス電圧と付加バイアス電圧との差電圧が加わり、その容量は固定バイアス電圧のみを加えたときよりも大きくなる。したがって、中間周波同調回路７の同調周波数は、付加バイアス電圧を加えないときに比べて低域周波数側に移動する。
【００４１】
一方、ＶＨＦローバンド以外のバンドにあるＳＥＣＡＭ（Ｌ）方式のＴＶ放送およびＰＡＬ（Ｂ／Ｇ）方式のＴＶ放送を選択したときは、ＩＣ９のバンド切換端子ＢＳ４から正電圧が出力されず、可変容量ダイオード７７  は、カソードに電源電圧だけが加えられ、その容量は付加バイアス電圧を加えたときよりも小さくなる。したがって、中間周波同調回路７の同調周波数は、付加バイアス電圧を加えたときに比べて高域周波数側に移動する。
【００４２】
次に、図２は、本発明によるテレビジョンチューナの第２実施例の構成を示す一部回路図を含んだブロック図である。
【００４３】
第２実施例のテレビジョンチューナは、図１に示された第１実施例のテレビジョンチューナにおける中間周波同調回路７の代わりに、中間周波同調回路８を備えたものであり、中間周波同調回路８以外の構成および動作は第１実施例と同じなので、図２において、図１の構成要素と同じ構成要素については同じ符号を付け、中間周波同調回路８の構成と動作についてだけ以下に説明し、その他の構成と動作については説明を省略する。
【００４４】
中間周波同調回路８は、入力端が混合回路５の出力端に接続され、出力端が出力端子１０に接続されており、インダクタ８１  と、キャパシタ８２  乃至８６  と、スイッチングダイオード８７  と、抵抗８８  乃至８１０とからなっている。そして、インダクタ８１  は、一端がキャパシタ８３  を介して入力端に接続されるとともに、キャパシタ８４  を介して出力端に接続され、他端が抵抗８９  を介して電源端子Ｂに接続されるとともに、並列接続された抵抗８１０とキャパシタ８５  とを介して接地点に接続されている。キャパシタ８２  はインダクタ８１  に並列に接続されている。キャパシタ８６  は、一端がスイッチングダイオード８７  のアノードに接続され、他端がインダクタ８１  の他端に接続されている。スイッチングダイオード８７  は、カソードがインダクタ８１  の一端に接続され、アノードが抵抗８８  を介してＩＣ９のバンド切換端子ＢＳ４に接続されている。
【００４５】
そこで、ＶＨＦローバンドにあるＳＥＣＡＭ（Ｌ）方式のＴＶ放送を選択したとき、ＩＣ９のバンド切換端子ＢＳ４から正電圧が出力され、この正電圧が切換電圧として中間周波同調回路８の抵抗８８  を介してスイッチングダイオード８７  のアノードに加えられる。このとき、スイッチングダイオード８７  のカソードには、電源端子Ｂに加えられた電源電圧が抵抗８９  と８１０で分圧されて、固定バイアス電圧としてインダクタ８１  を介して加えられているが、この固定バイアス電圧よりも切換電圧の方が高いので、スイッチングダイオード８７  はオン状態になる。そして、キャパシタ８６  がキャパシタ８２  に並列接続され、中間周波同調回路８の同調容量は切換電圧を加えないときよりも大きくなる。したがって、中間周波同調回路８の同調周波数は、切換電圧を加えないときに比べて低域周波数側に移動する。
【００４６】
一方、ＶＨＦローバンド以外のバンドにあるＳＥＣＡＭ（Ｌ）方式のＴＶ放送およびＰＡＬ（Ｂ／Ｇ）方式のＴＶ放送を選択したときは、ＩＣ９のバンド切換端子ＢＳ４から正電圧が出力されず、スイッチングダイオード８７  はオフ状態になり、中間周波同調回路８の同調容量は切換電圧を加えたときよりも小さくなる。したがつて、中間周波同調回路８の同調周波数は、切換電圧を加えたときに比べて高域周波数側に移動する。
【００４７】
図５は、各実施例のテレビジョンチューナにおいて、ＶＨＦローバンドにあるＴＶ放送を選択したときの中間周波同調回路７、８の同調特性であり、実線がＰＡＬ（Ｂ／Ｇ）方式のＴＶ放送を選択したときの特性であり、破線がＳＥＣＡＭ（Ｌ）方式のＴＶ放送を選択したときの特性である。図中ＰＩＰＡＬ  、ＣＩＰＡＬ  がそれぞれＰＡＬ（Ｂ／Ｇ）方式ＴＶ放送の映像中間周波および色中間周波であり、ＰＩＳＥＣ  、ＣＩＳＥＣ  がそれぞれＳＥＣＡＭ（Ｌ）方式ＴＶ放送の映像中間周波および色中間周波である。
【００４８】
図５にあるように、中間周波同調回路７、８の同調特性は、図４に示した既知のテレビジョンチューナにおける中間周波同調回路６７の同調特性に比べて、ＰＡＬ（Ｂ／Ｇ）方式のＴＶ放送を選択したときは変わらず、ＳＥＣＡＭ（Ｌ）方式のＴＶ放送を選択したときは、低域周波数側に移動しており、いずれの方式のＴＶ放送を選択したときも、同調周波数が映像中間周波および色中間周波のほぼ中央にある。
【００４９】
なお、各実施例において、付加バイアス電圧または切換電圧として、ＩＣ９のバンド切換端子ＢＳ４から得られる正電圧を用いているが、本発明における付加バイアス電圧または切換電圧はこの正電圧に限られるものでなく、ＶＨＦローバンドにあるＳＥＣＡＭ（Ｌ）方式のＴＶ放送を選択したときにだけ得られる電圧であれば、他の電圧を用いてもよい。
【００５０】
【発明の効果】
以上の説明のように、各実施例のテレビジョンチューナによれば、中間周波同調回路の同調周波数を、ＰＡＬ（Ｂ／Ｇ）方式のＴＶ放送に適応させて設定し、ＶＨＦローバンドにあるＳＥＣＡＭ（Ｌ）方式のＴＶ放送を選択したときに、中間周波同調回路の同調容量を大きくしている。すなわち、ＰＡＬ（Ｂ／Ｇ）方式のＴＶ放送に適応させて設定された中間周波同調回路の同調周波数が、ＶＨＦローバンドにあるＳＥＣＡＭ（Ｌ）方式のＴＶ放送を受信するときに、低域周波数側に移動し、ＶＨＦローバンドにあるＳＥＣＡＭ（Ｌ）方式のＴＶ放送に適応する。
【００５１】
したがって、この発明のテレビジョンチューナによれば、いずれの方式のＴＶ放送を選択しても、映像中間周波および色中間周波に対する選択度がほぼ同じになり、映像を良好な状態で再生することができるという効果が得られる。
【図面の簡単な説明】
【図１】本発明によるテレビジョンチューナの第１実施例の構成を示す一部回路図を含んだブロック図である。
【図２】本発明によるテレビジョンチューナの第２実施例の構成を示す一部回路図を含んだブロック図である。
【図３】既知のテレビジョンチューナの構成を示す一部回路図を含んだブロック図である。
【図４】既知のテレビジョンチューナにおける中間周波同調回路の同調特性図である。
【図５】本発明によるテレビジョンチューナにおける中間周波同調回路の同調特性図である。
【符号の説明】
７、８  中間周波同調回路
７７  可変容量ダイオード
８２  固定容量
８６  付加容量
８７  スイッチングダイオード
８８、８９  抵抗
９  選局用ＩＣ
ＢＳ４  バンド切換端子
【図１】
0003581787.tif 000002
【図２】
0003581787.tif 000003
【図３】
0003581787.tif 000004
【図４】
0003581787.tif 000005
【図５】
0003581787.tif 000006